(57)【要約】【課題】本発明の目的は、複数のカード収容部の配置間隔を広げることなく、これらカード収容部に夫々凸部を有するカードを挿入することができ、薄形化を実現できる電子機器を得ることにある。【解決手段】電子機器の機器本体は、一端に厚み寸法の大きなアンテナ部を有するPCカードが挿入される複数のカード収容部を備えている。カード収容部は、PCカードの厚み方向に積層されているとともに、PCカードの挿入方向に沿って互いにずれて配置されている。【選択図】    図４
2004206388.tif 000002
【特許請求の範囲】
【請求項１】
機器本体と、
上記機器本体の内部に形成され、一端に厚み寸法の大きな凸部を有するカードが挿入されるとともに、上記カードの厚み方向に積層された複数のカード収容部と、を具備し、
上記カード収容部は、上記カードの挿入方向に沿って互いにずれていることを特徴とする電子機器。
【請求項２】
請求項１の記載において、上記カード収容部は、上記機器本体の厚み方向に積層されていることを特徴とする電子機器。
【請求項３】
請求項１の記載において、上記機器本体は、上記カード収容部に連なるカード挿入口を有し、このカード挿入口から一方のカード収容部に上記カードを挿入した時、このカードの凸部は、上記カード挿入口よりも上記機器本体の内側に入り込み、他方のカード収容部に上記カードを挿入した時、このカードの凸部は、上記カード挿入口から上記機器本体の外部に突出することを特徴とする電子機器。
【請求項４】
請求項１ないし請求項３のいずれかの記載において、上記複数のカード収容部に夫々カードを挿入した時、これらカードの凸部は、互いに重なり合うことなくカードの挿入方向にずれていることを特徴とする電子機器。
【請求項５】
請求項３の記載において、上記機器本体は、上記カード収容部を有する筐体と、上記カード挿入口を有するパネルとを含み、上記パネルは、上記カード収容部と向かい合う閉じ位置と、上記カード収容部から離れる開き位置とに亘って回動可能に上記筐体に支持され、上記閉じ位置に回動された時に、上記カード挿入口が上記カード収容部に連なることを特徴とする電子機器。
【請求項６】
請求項５の記載において、上記複数のカード収容部は、上記カードの幅方向に沿って互いにずれていることを特徴とする電子機器。
【請求項７】
請求項６の記載において、上記一方のカード収容部は、上記カード挿入口に対しカードの幅方向にずれた位置に形成され、上記パネルが閉じ位置に回動された時、このパネルが上記一方のカード収容部に収容されたカードの凸部と重なり合うことを特徴とする電子機器。
【請求項８】
請求項７の記載において、上記機器本体は、上記パネルを閉じ位置にロックするためのロック装置を有することを特徴とする電子機器。
【請求項９】
請求項１ないし請求項８のいずれかの記載において、上記カードの凸部は、無線通信用のアンテナ部であることを特徴とする電子機器。
【請求項１０】
筐体と、
この筐体の内部に形成され、一端に無線通信用のアンテナ部を有するカードが挿入されるとともに、このカードの厚み方向に積層された複数のカード収容部と、
上記カード収容部と向かい合う閉じ位置と、上記カード収容部から離れる開き位置とに亘って回動可能に上記筐体に支持され、上記閉じ位置に回動された時に、上記カードのアンテナ部が位置するカード挿入口を有するパネルと、を具備し、
上記カード収容部は、上記カードの挿入方向に沿って互いにずれていることを特徴とする電子機器。
【請求項１１】
請求項１０の記載において、上記アンテナ部は、上記カードよりも厚み寸法が大きいことを特徴とする電子機器。
【請求項１２】
請求項１０の記載において、一方のカード収容部に上記カードを挿入した時、このカードのアンテナ部は、上記カード挿入口よりも上記カード収容部の方向にずれた位置にあり、他方のカード収容部に上記カードを挿入した時、このカードのアンテナ部は、上記カード挿入口から上記パネルの外方に突出することを特徴とする電子機器。
【請求項１３】
請求項１２の記載において、上記一方のカード収容部は、上記パネルのカード挿入口に対し上記カードの幅方向にずれた位置に形成され、上記パネルが閉じ位置に回動された時に、このパネルが上記一方のカード収容部に収容されたカードのアンテナ部と重なり合うとともに、上記パネルは、ロック装置を介して上記閉じ位置にロック可能であることを特徴とする電子機器。
【請求項１４】
筐体と、
上記筐体の内部に形成され、一端に無線通信用のアンテナ部を有するカードが挿入されるとともに、このカードの厚み方向に積層された複数のカード収容部と、
上記カード収容部と向かい合う閉じ位置と、上記カード収容部から離れる開き位置とに亘って回動可能に上記筐体に支持され、上記閉じ位置に回動された時に、上記カード収容部に連なるカード挿入口を有するパネルと、を具備し、
上記カード収容部は、上記カードの挿入方向および幅方向に互いにずれて配置され、いずれか一方のカード収容部に収容されたカードのアンテナ部は、上記パネルが閉じ位置に回動された時に、このパネルと重なり合うことを特徴とする電子機器。
【請求項１５】
請求項１４の記載において、上記複数のカード収容部に夫々カードを収容した時、これらカードのアンテナ部は、互いに重なり合うことなく上記カードの挿入方向にずれていることを特徴とする電子機器。
【発明の詳細な説明】
【０００１】
【発明の属する技術分野】
本発明は、例えば無線通信機能を有するPCカードが挿入される複数のカード収容部を備えた電子機器に関する。
【０００２】
【従来の技術】
例えばポータブルコンピュータあるいは大容量のデータ管理に用いるサーバのような電子機器は、PCMCIAに準拠するPCカードを挿入可能な複数のカード収容部を備えている。
【０００３】
カード収容部は、電子機器の筐体の内部に形成されており、この筐体の厚み方向に積層されている。さらに、カード収容部は、筐体の周面に開口されたカード挿入口を有し、PCカードは、カード挿入口を通じてカード収容部に出し入れされるようになっている。そして、複数のPCカードを使用する場合、これらPCカードは、その厚み方向に互いに重なり合った姿勢でカード収容部に挿入される（例えば、特許文献１参照）。
【０００４】
【特許文献１】
特開平１１−１６７４２８号公報（コラム１−５、図１、図２）
【０００５】
【発明が解決しようとする課題】
ところで、近年では、無線LANの広帯域化および製品の低価格化等により、近距離無線通信の環境整備が進み、それに伴い、身の回りの複数の電子機器を無線LANで接続することが行なわれている。
【０００６】
この無線通信に用いるPCカードは、従来周知のPCカードと同様に電子機器のカード収容部に挿入して使用するものであり、無線インターフェース回路やアンテナ素子を内蔵したカード本体を備えている。カード本体は、無線接続ためのアンテナ部を有している。アンテナ部は、カード本体の挿入先端とは反対側の端部に位置し、PCカードをカード収容部に挿入した時に、カード挿入口から電子機器の外方に飛び出した状態となる。これにより、アンテナ部の周辺から放射電界を妨げるような障害物が除去され、アンテナ部が電子機器の外部に対して見通しの良い状態に保たれる。
【０００７】
ところが、この種のPCカードのアンテナ部は、カード本体よりも厚み寸法が大きい。このため、アンテナ部を有するPCカードを例えば下段のカード収容部に挿入すると、アンテナ部が上段のカード収容部に対応するカード挿入口に張り出してしまい、上段のカード収容部にアンテナ部を有するPCカードを挿入することができなくなる。言い換えると、カード収容部に無線通信機能を有する二枚のPCカードを挿入することができなくなる。
【０００８】
この対策としては、カード収容部の配置間隔を広げることが考えられる。しかしながら、カード収容部は、筐体の厚み方向に積層されているので、カード収容部の間隔を広げると、筐体の厚み寸法が増大してしまい、近年の電子機器の小型化要求を満たすことができなくなる。
【０００９】
しかも、単純に二枚のPCカードを間隔を存して配置した場合、下段のPCカードのアンテナ部と上段のPCカードのアンテナ部とが重なり合うのを避けられない。すると、無線LANの特性上、電界はアンテナ部を中心に円弧状に放射されるので、二枚のPCカードのアンテナ部から放射される電界が互いに干渉し合い、無線性能が低下するといった問題が生じてくる。
【００１０】
本発明の目的は、複数のカード収容部の配置間隔を広げることなく、これらカード収容部に夫々凸部を有するカードを挿入することができ、電子機器の薄形化を実現できる電子機器の提供を目的とする。
【００１１】
本発明の他の目的は、電子機器の薄形化を図りつつ、アンテナ部から放射される電界の干渉を軽減でき、無線性能を良好に維持できる電子機器を得ることにある。
【００１２】
【課題を解決するための手段】
上記目的を達成するため、本発明の一つの形態に係る電子機器は、
機器本体と、
上記機器本体の内部に形成され、一端に厚み寸法の大きな凸部を有するカードが挿入されるとともに、上記カードの厚み方向に積層され複数のカード収容部とを備え、これらカード収容部は、上記カードの挿入方向に沿って互いにずれていることを特徴としている。
【００１３】
この構成によれば、複数のカード収容部に夫々カードを挿入した場合、これらカードの凸部がカードの挿入方向に互いに変位し、カードの凸部が重なり合うのを回避できる。そのため、カード収容部の配置間隔を広げる必要はなく、電子機器の薄形化が可能となる。
【００１４】
さらに、カードの凸部が無線通信用のアンテナ部である場合に、アンテナ部から放射される電界の相互干渉を軽減することができ、良好な無線性能を得ることができる。
【００１５】
【発明の実施の形態】
以下本発明の実施の形態を、サーバに適用した図面に基づいて説明する。
【００１６】
図１および図２は、電子機器としてのサーバ１を開示している。サーバ１は、例えば机の上あるいはラックの棚板の上に置かれる機器本体２を備えている。機器本体２は、板金製の筐体３と、合成樹脂製のフロントパネル４とで構成されている。
【００１７】
筐体３は、底板３ａ、天板３ｂ、左右の側板３ｃおよび前板３ｄを有する中空の箱状をなしている。この筐体３は、図示を省略するが複数のマイクロプロセッサを有するプリント回路板、複数のハードディスク駆動装置、電源ユニットおよび冷却ユニットのような主要な構成要素を収容している。
【００１８】
図３および図４に示すように、筐体３の内部に第１および第２のカード収容部５ａ，５ｂが形成されている。第１および第２のカード収容部５ａ，５ｂは、無線通信機能を有するPCカード（無線LANカード）６を取り外し可能に収容するためのものである。図２に示すように、PCカード６は、PCMCIA規格の寸法形状を有するカード本体７と、凸部としてのアンテナ部８とを備えている。アンテナ部８は、カード本体７の長手方向に沿う一端部に位置し、無線通信用のアンテナ素子を内蔵している。このアンテナ部８は、カード本体７よりも大きな厚み寸法を有している。また、カード本体７は、アンテナ部８とは反対側の他端にコネクタ部９を備えている。
【００１９】
第１および第２のカード収容部５ａ，５ｂは、筐体３の前端左側部に位置するとともに、この筐体３の厚み方向に上下二段に積層されている。第１および第２のカード収容部５ａ，５ｂは、プリント配線板１１によって仕切られている。プリント配線板１１は、筐体３に支持されているとともに、この筐体３の底板３ａと平行に配置されている。
【００２０】
プリント配線板１１は、上段に位置する第１のカード収容部５ａに臨む上面１１ａと、下段に位置する第２のカード収容部５ｂに臨む下面１１ｂとを有している。プリント配線板１１の上面１１ａに第１のカードコネクタ１２と、この第１のカードコネクタ１２にPCカード６を導く第１の挿入ガイド１３が実装されている。同様に、プリント配線板１１の下面１１ｂに第２のカードコネクタ１４と、この第２のカードコネクタ１４にPCカード６を導く第２の挿入ガイド１５が実装されている。
【００２１】
第１のカード収容部５ａは、PCカード６を抜き差しする第１のカードスロット１７を有している。第１のカードスロット１７は、PCカード６の幅方向に延びるスリット状をなしており、筐体３の前板３ｄに形成されている。同様に、第２のカード収容部５ｂは、PCカード６を抜き差しする第２のカードスロット１８を有している。第２のカードスロット１８は、PCカード６の幅方向に延びるスリット状をなしており、筐体３の前板３ｄに形成されている。これら第１および第２のカードスロット１７，１８は、夫々第１および第２のカードコネクタ１２，１４と向かい合っている。
【００２２】
このため、PCカード６は、コネクタ部９を先頭とした姿勢で第１および第２のカードスロット１７，１８から第１および第２のカード収容部５ａ，５ｂに挿入され、その挿入先端のコネクタ部９が第１および第２のカードコネクタ１２，１４に電気的に接続される。よって、第１および第２のカード収容部５ａ，５ｂに夫々PCカード６を挿入した場合、二枚のPCカード６は、その厚み方向に互いに重なり合っている。
【００２３】
上記機器本体２のフロントパネル４は、筐体３の前板３ｄに対応する大きさの長方形状をなしている。このフロントパネル４は、ヒンジ金具２０を介して筐体３の底板３ａの前端部に支持されている。このため、フロントパネル４は、図４や図５に示す閉じ位置と、図２に示す開き位置とに亘って回動可能となっている。
【００２４】
フロントパネル４が閉じ位置に回動された状態では、このフロントパネル４が筐体３の前板３ｄを覆うように起立し、第１および第２のカードスロット１７，１８と向かい合っている。フロントパネル４が開き位置に回動された状態では、このフロントパネル４が筐体３の前方に倒れ込み、第１および第２のカードスロット１７，１８から離れている。
【００２５】
フロントパネル４は、カード挿入口２１と複数の吸気孔２２とを有している。カード挿入口２１は、フロントパネル４を閉じ位置に回動させた時に、上記第１および第２のカードスロット１７，１８に連なっている。
【００２６】
さらに、フロントパネル４には、ロック装置としてのロックシリンダ２３が取り付けられている。ロックシリンダ２３は、筐体３の前板３ｄに引っ掛かる係合片２４を有し、この係合片２４は、図示しないロックキーによって操作されるようになっている。そのため、フロントパネル４を閉じ位置に回動させた状態で、ロックキーを用いてロックシリンダ２３をロック位置に操作すると、係合片２４が前板３ｄに引っ掛かり、フロントパネル４が閉じ位置にロックされる。
【００２７】
フロントパネル４が閉じ位置にロックされている時に、ロックキーを用いてロックシリンダ２３をロック解除位置に操作すると、係合片２４が前板３ｄから離脱し、フロントパネル４のロックが解除される。これにより、フロントパネル４を閉じ位置から開き位置に向けて回動させることができる。
【００２８】
このような構成のサーバ１において、第１のカード収容部５ａと第２のカード収容部５ｂとは、PCカード６の挿入方向に互いにずれて配置されている。詳しく述べると、図４に示すように、第１のカード収容部５ａの第１のカードコネクタ１２は、第２のカード収容部５ｂの第２のカードコネクタ１４よりも前板３ｄから遠ざかった位置に設置されている。このため、第１のカード収容部５ａの奥行き寸法L1は、第２のカード収容部５ｂの奥行き寸法L2よりも大きくなっている。
【００２９】
上段の第１のカード収容部５ａにPCカード６を収容した状態では、そのアンテナ部８がフロントパネル４のカード挿入口２１よりも筐体３の方向に入り込み、アンテナ部８の先端部分がフロントパネル４と前板３ｄとの間に位置している。下段の第２のカード収容部５ｂにPCカード６を収容した状態では、そのアンテナ部８の大部分がカード挿入口２１から機器本体２の外部に突出している。
【００３０】
このため、第１および第２のカード収容部５ａ，５ｂに夫々PCカード６を挿入した時、二枚のPCカード６のアンテナ部６は、互いに重なり合うことなくPCカード６の挿入方向にずれている。
【００３１】
さらに、図３や図６に示すように、第１のカード収容部５ａと第２のカード収容部５ｂとは、PCカード６の幅方向に沿って互いにずれて配置されている。言い換えると、上段に位置する第１のカード収容部５ａは、フロントパネル４のカード挿入口２１に対しPCカード６の幅方向にずれた位置に形成されており、このフロントパネル４が閉じ位置に回動された時に、カード挿入口２１と第１のカードスロット１７とが互いにずれている。
【００３２】
このため、第１のカード収容部５ａにPCカード６を収容した状態において、フロントパネル４を閉じ位置に回動させると、フロントパネル４のうちカード挿入口２１の一端開口縁に連なる部分がアンテナ部８の端部に重なり合う。よって、上記のようにフロントパネル４を閉じ位置にロックすれば、このフロントパネル４によってPCカード６の引き抜きを阻止することができる。この結果、フロントパネル４を利用してPCカード６の盗難を防止できるとともに、第１のカード収容部５ａに盗難防止用の機構を付設する必要はない。
【００３３】
第２のカード収容部５ｂの第２のカードスロット１８は、フロントパネル４が閉じ位置に回動された状態においても、フロントパネル４のカード挿入口２１の開口範囲内に位置している。このため、第２のカード収容部５ｂは、フロントパネル４が閉じ位置にロックされた状態でも、PCカード６を自由に出し入れし得る状態に保持されている。
【００３４】
それ故、本実施形態のサーバ１は、第２のカード収容部５ｂに無線通信機能を有する高価なPCカード６を収容した時に、そのアンテナ部８に引っ掛かるラッチ片２６を備えている（図１および図５参照）。ラッチ片２６は、筐体３の前板３ｄにねじ止めされている。このラッチ片２６のねじ止め部分は、フロントパネル４が閉じ位置にある限り、このフロントパネル４によって覆い隠されている。
【００３５】
このことから、フロントパネル４を閉じ位置にロックすれば、ラッチ片２６を筐体３から取り外すことができなくなり、ラッチ片２６によるPCカード６の盗難防止を維持することができる。
【００３６】
このような構成のサーバ１によると、筐体３の内部の第１および第２のカード収容部５ａ，５ｂは、PCカード６の挿入方向にずれて配置され、これらカード収容部５ａ，５ｂの奥行き寸法L1，L2が互いに異なっている。このため、第１および第２のカード収容部５ａ，５ｂに夫々無線通信機能を有するPCカード６を挿入した状態では、厚み寸法の大きなアンテナ部８がPCカード６の挿入方向に互いに変位し、これらアンテナ部８が重なり合うのを回避できる。
【００３７】
このため、第１および第２のカード収容部５ａ，５ｂの配置間隔を広げる必要はなく、機器本体２を薄くコンパクトに形成できる。
【００３８】
加えて、二枚のPCカード６のアンテナ部８がずれるので、これらアンテナ部８から放射される電界の相互干渉を軽減することができ、良好な無線性能を得ることができる。
【００３９】
なお、本発明に係る電子機器は、サーバに限らず、例えばポータブルコンピュータであっても同様に実施可能である。
【００４０】
【発明の効果】
以上詳述した本発明によれば、カード収容部の配置間隔を広げることなく、カードの凸部が重なり合うのを回避することができ、電子機器の薄形化が可能となる。
【図面の簡単な説明】
【図１】本発明の実施の形態に係るサーバの斜視図。
【図２】機器本体のフロントパネルを開き位置に回動させ、第１および第２のカードスロットを露出させた状態を示す斜視図。
【図３】第１および第２のカード収容部に夫々アンテナ部を有するPCカードを収容した状態を示す断面図。
【図４】図３のF4−F4線に沿う断面図。
【図５】フロントパネルからPCカードのアンテナ部が突出した状態を示すサーバの斜視図。
【図６】PCカードのアンテナ部とフロントパネルとの位置関係を示すサーバの正面図。
【符号の説明】
２…機器本体、３…筐体、４…パネル（フロントパネル）、５ａ，５ｂ…カード収容部（第１のカード収容部、第２のカード収容部）、６…カード（PCカード）、８…凸部（アンテナ部）、２１…カード挿入口。
【図１】
2004206388.tif 000003
【図２】
2004206388.tif 000004
【図３】
2004206388.tif 000005
【図４】
2004206388.tif 000006
【図５】
2004206388.tif 000007
【図６】
2004206388.tif 000008